(57)【要約】【課題】一人が測定をしている時に、他の一人が測定結果の加工表示を行え、しかも、条件をいろいろ変えて表示する加工表示が楽な姿勢で行える生体計測装置を提供する。【解決手段】両足間の生体インピーダンスを計測する計測部と、体重を計測する重量計測部と、個人の生体情報等の条件を設定する第１の設定手段と、前記計測部と重量計測部で計測されたインピーダンスと体重および前記第１の設定手段で設定された条件に基づいて演算した生体演算値を表示する第１の表示部とを有する本体と、計測した結果等を表示する第２の表示部と、少なくとも個人の生体情報を含む条件を設定する第２の設定手段とを有する本体から分離可能な表示ボックスを備える。【選択図】図１
2005046253.tif 000002
【特許請求の範囲】
【請求項１】
両足間の生体インピーダンスを計測する計測部と、体重を計測する重量計測部と、個人の生体情報等の条件を設定する第１の設定手段と、前記計測部と重量計測部で計測されたインピーダンスと体重および前記第１の設定手段で設定された条件に基づいて演算した生体演算値を表示する第１の表示部とを有する本体と、
計測した結果等を表示する第２の表示部と、少なくとも個人の生体情報を含む条件を設定する第２の設定手段とを有する表示ボックスと
を備えることを特徴とする生体計測装置。
【請求項２】
前記本体及び前記表示ボックスは、お互いを直接接続する接続端子を備えたことを特徴とする請求項１記載の生体計測装置。
【請求項３】
前記本体及び前記表示ボックスは、無線あるいは光により信号を相互に通信する通信手段を備えたことを特徴とする請求項１記載の生体計測装置。
【発明の詳細な説明】
【０００１】
【発明の属する技術分野】
本発明は、体重及び生体インピーダンスを計測し、健康管理に有益な体脂肪率等の生体情報を提供する生体計測装置に関する。
【０００２】
【従来の技術】
近年、健康維持の観点から、生活習慣病を引き起こす原因となる体脂肪率等の生体情報を推定することができる種々のタイプの生体計測装置が提案されてきた。その中に、図１３の従来の体脂肪計付体重計の斜視図に示すような、両足間の生体インピーダンスと体重を計測する電極部４と計測結果等を表示するための表示部５と計測条件を設定するための設定キー１２とが一体化されている体脂肪計付体重計が提案されている（特許文献１参照。）。
【０００３】
また、表示部５と設定キー１２を一体化したものを本体２６から着脱可能とする構成にし、測定時の操作性の向上と不使用時の収容性の向上を図ったものが提案されている（特許文献２参照。）。
【０００４】
【特許文献１】
特公平５−４９０５０号公報
【特許文献２】
特開平１１−３３２８４６号公報
【０００５】
【発明が解決しようとする課題】
しかしながら、電極部４と表示部５と設定キー１２とが一体化されているので、一人が測定している時に、他の一人が測定データの加工表示することはできない。また、体重および体脂肪率の月内変動をグラフ表示する等の測定データを加工表示する場合、跪いた姿勢で設定キーを操作しなければならないという問題が発生する。表示部と設定キーを本体から着脱可能にしても、表示部と設定キーは１組しかないので、一人が測定しているときに、他の一人が測定データの加工表示をすることは出来ない。
本発明の目的は、上記のような従来の問題点を解決することを目的とするもので、一人が測定している時に、他の一人が測定データの加工表示できる等、装置を有効利用でき、楽な姿勢で測定データの加工表示の行える生体計測装置を提供することである。
【０００６】
【課題を解決するための手段】
本発明の１つの観点によれば、両足間の生体インピーダンスを計測する計測部と、体重を計測する重量計測部と、個人の生体情報等の条件を設定する第１の設定手段と、前記計測部と重量計測部で計測されたインピーダンスと体重および前記第１の設定手段で設定された条件に基づいて演算した生体演算値を表示する第１の表示部とを有する本体と、計測した結果等を表示する第２の表示部と、少なくとも個人の生体情報を含む条件を設定する第２の設定手段とを有する表示ボックスとを備えることを特徴とする生体計測装置が提供される。
【０００７】
この発明の一つの観点によれば、前記本体及び前記表示ボックスは、お互いを直接接続する接続端子を備えたことを特徴とする生体計測装置が提供される。
【０００８】
本発明の別の観点によれば、前記本体及び前記表示ボックスは、信号を通信する無線通信手段を備えたことを特徴とする生体計測装置が提供される。
【０００９】
【発明の実施の形態】
本発明の生体計測装置の実施形態を図面に基づき説明する。図１と図２は、生体計測装置の斜視図であり、図３は、生体計測装置の電気回路のブロック図である。本発明の生体計測装置は、生体インピーダンスと体重を計測し、計測結果を表示する公知の脂肪計付体重計からなる本体１と、個人パラメータ等の計測条件を入力し、それ自身に設けられた条件設定手段を持ち、本体１の計測結果を加工し、その結果を表示するための表示ボックス２とからの二つの装置で構成する。図１は表示ボックスが本体から取り外れているとき、図２は表示ボックスが本体に装着されているときを示す図である。
【００１０】
本体１は、体重計の載せ台３の上面に生体インピーダンスを計測するための通電用電極４ａと計測用電極４ｂからなる電極部４を、載せ台３の側面にスタートキー６を配設する。更に、載せ台３の前部側に表示ボックスを収容する収容部７を設け、コネクター１２を表示ボックス２との接続手段として収容部７の底に配設する。また、本体１は、体重を計測する重量センサー部１５と、通電用電極４ａに高周波の微弱な定電流を印加するための高周波定電流回路１７と、計測用電極４ｂに生じる生体の電位差を計測するための電圧測定回路１８と、重量センサー部１５からのデータを増幅する増幅回路１６と、増幅回路１６と電圧測定回路１８との切り替えをする切替部１９と、電圧測定回路１８や増幅回路１６からのアナログ信号をデジタル信号に変換するためのＡ／Ｄ変換回路２０と、計測条件や計測した生体インピーダンスデータや体重データに基づいて体脂肪率の演算や計測・通信等の各種の制御等の処理を行うためのＣＰＵ２１と、測定データを記憶するための記憶部１４と、計測条件および表示条件を設定するための設定キー８と計測条件および計測結果を表示する表示部５とを内蔵する。
【００１１】
電極部４、高周波定電流回路１７、電圧測定回路１８、切替部１９、Ａ／Ｄ変換回路２０及びＣＰＵ２１から計測部が構成される。重量センサー部１５、増幅回路１６、切替部１９、Ａ／Ｄ変換回路２０及びＣＰＵ２１から重量計測部が構成される。
【００１２】
表示ボックス２は、正面に計測条件および計測データを加工した結果等を表示する表示部１０と計測条件および表示条件を設定するための設定手段としての設定キー１１を有し、底面にコネクター１３を本体１と接続するための接続手段として有する。また、表示ボックス２は、設定した計測条件等の記録する記憶部２２と、通信・記憶・表示等の各種の制御等の処理を行うためのＣＰＵ２３とを内蔵する。
【００１３】
本発明の生体計測装置を使用するときには、被計測者は、本体１の設定キー８あるいは、表示ボックス２の設定キー１１により個人条件の設定登録をし、これにより設定登録したいずれかのスタートキー６を押して、本体１の通電用電極４ａと計測用電極４ｂの上に足を接触させながら乗る。そして、計測された結果は表示部５に表示される。
【００１４】
計測結果の加工処理を行うときには、まず、表示ボックス２を本体１の収用部７に装着し、本体１のコネクター１２と表示ボックス２のコネクター１３を接続する。測定後にコネクター１２とコネクター１３が接続された場合、本体１のＣＰＵ２１は表示ボックス２のＣＰＵ２３に測定結果の受信依頼の割り込みを行う。受信承認の割り込みがＣＰＵ２１に返されると、ＣＰＵ２１は、本体１の記憶部１４から表示ボックス２の記憶部２２に測定結果をコピーする。次に、表示ボックスの設定キー１１により加工条件を設定し、加工処理を行い、処理結果を表示部１０に表示する。加工処理としては、例えば、体重および体脂肪率の月内変動をグラフ表示する。
【００１５】
次に、本実施例における測定手順および動作の概要について、図４から図１０に示すフローチャートにそって説明する。尚、本生体計測装置には、本体１と表示ボックス２のそれぞれのＣＰＵがあるので、本体１のＣＰＵのフローチャートに対しては、本体と、表示ボックス２のＣＰＵのフローチャートに対しては、表示ボックスと、フローチャートの上部に明示する。本体と表示ボックスのフローチャートの境界を１点鎖線で示す。また、両者間でのデータ転送等、両者のＣＰＵ間の制御のやり取りを波線で示してある。一方のＣＰＵから他方のＣＰＵへ制御が移り、再び一方のＣＰＵに制御が戻るまでの間、一方のＣＰＵは待ち状態にさせられるか、あるいは、他方のＣＰＵから割り込みがかかるまで、他のジョブを行う。
【００１６】
本体１の電源スイッチをオンにすると、ステップＳ１において装置内部の初期化が行われる。
【００１７】
ステップＳ１２において、表示ボックス２が収容部７に挿入されているかを判断する。判断方法としては、種々のものが考えられる。例えば、表示ボックス２の底面にマイクロスイッチを付けておき、収容部７に装着した時にそのスイッチがオンする方法が考えられる。あるいは、コネクターの一方の一信号線が論理値「０」となっており、対応するもう一方のコネクター信号線には検知器が接続されており、接続されていない時は開放状態のため論理値「１」が検出され、接続した時には論理値「０」が検出されるような方法でも良い。挿入されていると判断された場合はステップＳ２１に進む。挿入されていないと判断された場合、ステップＳ１３において、身長や年齢等の個人パラメータが入力済かを判断する。入力済と判断された場合は、ステップＳ１５に進む。入力されていないと判断された場合は、ステップＳ１４において、本体１の設定キー８を用いて被測定者の識別番号および個人パラメータである性別、身長、年齢等の入力を行う。
【００１８】
ステップＳ１５において、測定ルーチンを呼び、体重および生体電気インピーダンスの測定を行う。詳細については、後で説明する。ステップＳ１６において、結果表示１ルーチンを呼び、本体あるいは表示ボックスにおいて、測定結果の表示を行う。この後、処理を終了する。
【００１９】
ステップＳ２１において、身長や年齢等の個人パラメータが入力済かが判断される。入力済と判断された場合は、ステップＳ２５に進む。
【００２０】
入力済と判断されない場合は、ステップＳ２２において、表示ボックス２内の記憶部２２に個人パラメータが入力済みかが判断される。入力されてないと判断された場合は、ステップＳ２８に進む。
【００２１】
ステップＳ２２において、個人パラメータが入力済みと判断された場合は、ステップＳ２３において、本体１のＣＰＵ２１は、表示ボックス２のＣＰＵ２３に対して、記憶部２２内の個人パラメータを本体のＣＰＵ２１へ送信するよう依頼を出す。送信依頼は、ＣＰＵ２３への割込み信号として送信してもよい。
【００２２】
ステップＳ３３において、表示ボックス２は、送信依頼の割込みを受取ると、記憶部２２内の個人パラメータを本体１へ送信する。ステップＳ２４において、本体１は、個人パラメータを受信する。
【００２３】
ステップＳ２５において、測定ルーチンを呼び、体重及び生体電気インピーダンスの測定を行う。ステップＳ２６において、結果表示２ルーチンを呼び、測定結果を本体１あるいは表示ボックス２において、表示する。処理を終了する。
【００２４】
ステップＳ２８おいて、「個人パラメータを本体で入力するか表示ボックスで入力するかを指定して下さい」と表示部５に表示する。本体で入力するとの応答があった場合には、ステップＳ１４に進む。表示ボックスで入力するとの応答が有った場合には、「表示ボックスに個人パラメータを入力してください」と表示部５に表示して、処理を終了する。即ち、この処理の前に、表示ボックスにおいて、測定条件を入力し、記憶部２２に記憶することが必要である。
【００２５】
次に、図５のフローチャートを用いて、結果表示１ルーチンの動作を説明する。ステップＳ５０１において、「結果を表示ボックス２で表示しますか？」と本体１の表示部５に表示される。使用者が「ＹＥＳ」を指定した場合、ステップＳ５０３に進む。ステップＳ５０２において、本体の表示部５に測定結果を表示する。処理を終了する。
【００２６】
ステップＳ５０３では、「表示ボックスを収容部に挿入してください」と本体１の表示部５に表示され、使用者は表示ボックスを挿入する。ステップＳ５０４において、データコピールーチンを呼び、本体１の記憶部１４内の測定結果を表示ボックス２の記憶部２２にコピーする。ステップＳ５０５において、「表示ボックスを外してください」と本体１の表示部５に表示され、使用者は外す。本体１の処理は終了する。表示ボックスにおいて、ステップＳ５５１において、結果を表示する。この処理の詳細については後で説明する。
【００２７】
次に、図６のフローチャートを用いて。結果表示２ルーチンの動作を説明する。ステップＳ６００において、データコピールーチンを呼び、本体１の記憶部１４内の測定結果を表示ボックス２の記憶部２２にコピーする。ステップＳ６０１において、「結果を表示ボックス２で表示しますか？」と本体１の表示部５に表示される。使用者が「ＹＥＳ」を指定した場合、ステップＳ６０４に進む。ステップＳ６０２において、本体の表示部５に測定結果を表示する。処理を終了する。
【００２８】
ステップＳ６０４において、「表示ボックスを外して下さい」と本体１の表示部５に表示され、使用者は外す。本体１の処理は終了する。表示ボックスにおいて、ステップＳ６５１において、結果を表示する。
【００２９】
次に、図７のフローチャートを用いて、データコピールーチンの動作を説明する。ステップＳ７０１において、本体１のＣＰＵ２１は、表示ボックス２のＣＰＵ２３に対して、測定結果を受信するよう受信依頼を出す。これは、表示ボックス２のＣＰＵ２３への割込み信号として送信してもよい。ステップＳ７５１において、表示ボックス２のＣＰＵ２３はＯＫと応答する。これを受けて、ステップＳ７０２において、本体１は、測定結果を表示ボックス２の記憶部２２に転送する。
【００３０】
ステップＳ７５２において、表示ボックスは、測定結果を受信する。ステップＳ７５３において、表示ボックス２は、記憶部２２内の結果ＦＬＧをセットする。処理を終了する。
【００３１】
次に図８のフローチャートを用いて、測定ルーチンの動作を説明する。ステップＳ８０１において、体重を測定する。ステップＳ８０２において、生体電気インピーダンス測定が開始される。高周波定電流回路１７は、電流値が設定可能な定電流出力回路で構成されており、ＣＰＵ２１で設定される測定制御パラメータを基に出力電流値が設定され、その交流電流出力は、通電用電極４ａを通して被測定者に印加される。この時、被測定者に接触されている計測用電極４ｂ間の電圧を電圧測定回路１８により検出する。そのアナログの電圧をＡ／Ｄ変換回路によりデジタル信号に変換し、その結果を記憶部１４に記憶する。
【００３２】
ステップＳ８０３において、体脂肪率等の生体情報の演算を行う。
【００３３】
次に、本実施例における表示ボックス２の動作を図９及び１０に示すフローチャートにそって説明する。表示ボックスの電源をＯＮすると、ステップＳ９０１において、送信依頼の割込みがかかったかテストする。割込みがかかった場合には、ステップＳ９０２に進む。ステップＳ９０３において、受信依頼の割込みがかかったかテストする。かかった場合には、ステップＳ９０４に進む。ステップＳ９０５において、結果ＦＬＧがセットされているかテストする。セットされている場合には、ステップＳ９０６に進む。
【００３４】
ステップＳ９０７において、個人身体パラメータ等の個人パラメータを入力する。ステップＳ９０８において、個人パラメータを記憶部２２に記憶させる。処理を終了する。
【００３５】
ステップＳ９０２において、記憶部２２内の個人パラメータを本体１に送信する。処理を終了する。
【００３６】
ステップＳ９０４において、測定結果を本体１から受信して、記憶部２２に記憶させる。処理を終了する。
【００３７】
ステップＳ９０６において、次に説明する加工表示ルーチンを呼び、表示ボックスの表示部１０に測定結果を表示する。処理を終了する。
【００３８】
図１０のフローチャートを用いて、加工表示ルーチンの動作を説明する。
ステップＳ９５１において、設定キー１１を用いて表示データの条件を指定する。例えば、体脂肪率の月内推移を表示条件とする。ステップＳ３０において、指定された条件のデータを加工表示する。具体例を図１１に示す。これでは、６月中の体脂肪率の変化を表示している。ステップＳ９５３において、表示するデータの条件を変更するかどうかの判断がなされる。変更したい場合は、ステップＳ９５１に戻って、条件指定を行う。図１２は、体脂肪率に加えて、摂取カロリーの月内変化を表示したものである。摂取カロリーのデータは、摂取カロリー計から表示ボックスの記憶部２２に転送しても良い。また、設定キー１１を用いて、摂取カロリーのデータを表示ボックスの記憶部２２に入力しても良い。表示ボックス２は、本体と独立しており、手に持つことが出来るので、本体１のように設定キー８を操作するのに跪く必要はなく、楽な姿勢で表示ボックスの設定キー１１を操作し、測定データの加工表示を行うことができる。
【００３９】
前述の実施例（図４〜図６）では、結果を表示する度に本体で表示するか表示ボックスで表示するかを使用者は指定していて、面倒であったが、どちらを使うかは使用者の好みで決まっているので、最初に設定することにより簡便な使い方が可能となる。即ち、まず、図４のステップＳ１とステップＳ１２の間に、結果の表示を表示ボックスでするかの問い合わせステップを設け、表示ボックスが選択された場合には、表示ボックスＦＬＡＧを”１”にセットし、選択されない場合は、”０”にリセットする。図５の結果表示１ルーチンのステップＳ５０１では、現在のステップを表示ボックスＦＬＡＧが”１”に等しいかのステップに変更する。図６の結果表示２ルーチンのステップＳ６０１でも同様にこのステップを表示ボックスＦＬＡＧが”１”に等しいかのステップに変更する。
【００４０】
このようにステップを変更することにより、測定結果を表示ボックスで表示することに図４のステップＳ１で指定すると、表示ボックスＦＬＡＧは”１”にセットされる。そして、結果表示１ルーチンのステップＳ５０１で、表示ボックスＦＬＡＧが”１”と等しいので、ステップＳ５０３に進む。また、結果表示２ルーチンのステップＳ６０１では、表示ボックスＦＬＡＧが”１”と等しいので、ステップＳ６０４に進む。
【００４１】
本体１と表示ボックス２には、それぞれ、条件設定用のキーと結果等を表示する表示部があるので、被測定者Ａは本体１で計測した後、結果を表示ボックス２に送ることにより、被測定者Ａは、表示ボックス２で結果を表示し、結果をチェックすることができる。そして、被測定者Ａが結果をチェックしている時間に、被測定者Ｂは本体１で測定することが出来る。即ち、装置を有効利用することができる。
【００４２】
また、本発明の生体計測装置は、本体１と表示ボックス２とをコネクター１２と１３で直接接続しているが、コネクターの代わりに通信部を設けて、無線通信または光通信で接続しても良い。
【００４３】
本実施の形態の生体計測装置は、生体のインピーダンスを計測するための電極部を配設した体重計を有する生体計測装置であれば、体水分計・重心動揺計等のあらゆる生体計測装置で実施可能である。
【００４４】
【発明の効果】
本発明によれば、本体部にも設定キーと表示部があるので、本体部単独でも、計測結果を見ることが出来る。従って、計測結果の表示と計測結果の加工処理を同時に行うことができる。計測には、それ程時間がかからないが、加工処理には時間がかかる。これは、加工処理の場合、条件をいろいろ変えて表示するからである。同時に処理を行えるので、一人が測定して、他の一人がデータの加工表示をすることが出来ることになる。
【図面の簡単な説明】
【図１】生体計測装置の斜視図であり、表示ボックスが本体から取り外れているときを示す図である。
【図２】生体測定装置の斜視図であり、表示ボックスが本体に取り付いているときを示す図である。
【図３】生体計測装置の電気回路のブロック図である。
【図４】生体計測装置の本体の動作を説明するフローチャートである。
【図５】結果表示１ルーチンの動作を説明するフローチャートである。
【図６】結果表示２ルーチンの動作を説明するフローチャートである。
【図７】データ転送ルーチンの動作を説明するフローチャートである。
【図８】測定ルーチンの動作を説明するフローチャートである。
【図９】表示ボックスの動作を説明するフローチャートである。
【図１０】加工表示ルーチンの動作を説明するフローチャートである。
【図１１】表示ボックスの表示例であり、体脂肪率の月内推移を示すグラフである。
【図１２】表示ボックスの表示例であり、体脂肪率と摂取カロリーの月内推移を示すグラフである。
【図１３】従来の体脂肪計付体重計の斜視図である。
【符号の説明】
１、２６  本体
２  表示ボックス
３  載せ台
４ａ  通電用電極
４ｂ  計測用電極
４  電極部
６  スタートキー
７  収容部
８  設定キー
１０  表示部
１１  設定キー
１２、１３  コネクター
１４、２２  記憶部
１５  重量センサー部
１６  増幅回路
１７  高周波定電流回路
１８  電圧測定回路
１９  切替部
２０  Ａ／Ｄ変換回路
２１、２３  ＣＰＵ
【図１】
2005046253.tif 000003
【図２】
2005046253.tif 000004
【図３】
2005046253.tif 000005
【図４】
2005046253.tif 000006
【図５】
2005046253.tif 000007
【図６】
2005046253.tif 000008
【図７】
2005046253.tif 000009
【図８】
2005046253.tif 000010
【図９】
2005046253.tif 000011
【図１０】
2005046253.tif 000012
【図１１】
2005046253.tif 000013
【図１２】
2005046253.tif 000014
【図１３】
2005046253.tif 000015